(57)【要約】      （修正有）【課題】棚付ラックを利用したワンルームベッドを提供する。【解決手段】本体に小分けした棚付ラック８を用い、これを背にして二本の支柱棒６を用い、かや１７、カーテン１８をこれらの蝶番付上蓋２の三方向にカーテンレール１９で下げ、下敷きに別板４を用い、ねじ切りのある二本の該支柱棒で上下蓋板を固定し、中にマットレス、布団を入れた。【選択図】図１
2007100492.tif 000002
【特許請求の範囲】
【請求項１】
本発明品は、本体に多くの小分けした棚付きラックを用い、主体として、これを背にし、二本の支柱棒を用い、カヤ、カーテンをこれの開けられた上蓋三方向にカーテンレールで垂れ下げられる設計をし、下敷に別板を用い、ネジ切りのある、二本の支柱棒で上下蓋板を固定し、中にマットレス、布団等を入れる時、本発明されワンルームベッド（テオリーくん４１０号）が創作される事への請求をして、
【請求項２】
これを本意のベッド（ルーム）に用いない時、上下蓋を取り外す事が出来（外さなくともよい）。これに、寸法を合わせた学舎運搬シート（テオリーくん４１２号）と呼称するテント、シートをスッポリと、覆い被せ、施錠し、ベランダ、縁側等、外に出し置き出来る物置きとなるこれに、被せ置くシートを発明する事への請求をして、
【請求項３】
本発明されるワンルームベッドを本意の目的を以って、屋外で使用する時、下記述説明にある様に細工、工夫して、創作し、学舎キャンプシート（テオリーくん４１１号）と呼称され、ワンルームベッドにスッポリと被せて、これらを本趣意目的に供し、風雨から、これを用いるキャンプ者を、保護するテント、シートを発明し、そのシートの外側にバネ、ゼンマイを利用した（普通家屋にも利用できる）巻き取り式の防水シート、網戸シートを取り付ける発明をする請求。
【発明の詳細な説明】
【技術分野】
【０００１】  本発明品、ワンルーム、ベッド（Ｔ４１０号）では簡易に、これを組み立て分解する事が出来これをベッドとして使用しない時には、蓋を折り返して裏側に回し込んで、片付けると、単一のラック棚となり、ガサ張らず、蓋を閉じると、（乗用）車運搬も楽になり、アパート、マンション等において、手狭になった時、之にシート（Ｔ．４１２号）をかけ、施錠し、縁側（外）に出して物置きにもなる事の他、【０００２】  本品は、二支柱を以って、組み立て、ラック棚を背にした三方面に、カヤや、カヤカーテンをカーテンレールを使って用けると、病院、刑務所、浜茶屋、被災避難時においての体育館に用いる事が出来る他、大規模建設現場における作業者舎屋に用いて他、病院のベッドをして、ホームレス収容施設。【０００３】  夏期においては、サマーキャンプ地における宿泊施設や、小型ボートに用いて、宿泊舎屋に用いた時、簡易且つ便利であり、低価格コストで製作できる技術力があった。
【背景技術】
【０００４】●特願２００４−４５４４８：自動車カーテンブラインド参照されたし。●特願２００４−２７８４５７：家具付車両参照されたし●特願２００５−  ：セスナー参照されたし
【発明の開示】
【発明が解決しようとする課題】
【０００５】  筆者の家系は、祖父の代から医師家系であり、家も俗福であり、比較的大きな家に住んでおり、比較的大きな部屋を自分の部屋に当てがわれていたが、不便であった。筆者はコドモの頃、ドイツに住んでいた事があり、そこにあって、部屋も大き過ぎると、冬は寒く、日本の北海道地区地方より更に寒く、高熱費がかかった。そして夏には、日本同様に窓を開けて置くと大量の蚊が室内に入って来た。【０００６】  納屋にあるベニア板とタル木を持ち出して来て細長い箱を作り、中に布団、枕を入れてから、上蓋を蝶番付けして、中に入り夜る寝むると、これが、実に温かく、具合の良い物となった。父親が暫く様子を見ていたが、遂に怒り出した。【０００７】  「これでは棺桶では無いか！テオリーくんよく聞きなさい。お父さんの解賠室に運ばれて来る不慮の人の死体の着衣には、多にして、ガイコツの玩具やそのマークが付いている事が多いんだよ。まだその若さで死にたくはないだろう？死に神に目を付けられる様な事は止めなさい。こんな所で寝ていて、地震が起こり、上から重石が落ちて来て蓋を防いでしまったら君は外に出られなくなってしまう。こんな所で寝てはいけません。」父は法医学者であり、信心深い人であり、息子に命令して出て行った。設計はマンガ小説に登場する永遠の命を持つドラキュラー伯爵の棺である事は既に見破られているものであったが、その後、父親の監視の目はキツクなった。テオリーくんが、このくらいの事では決っしてあきらめない事まで知っていたからであった。父子ともどもにガンコであった。課題が生じた。
【課題を解決する為の手段】
【０００８】  幕末、明治維新、文化開花と共に西洋文化品が、大量に日本に流入して来た時、その進んだ家具類の中にベッド（寝台）があった。ベッドは、今古東西、家具職人が手作りの元に丹精を込めて作り出される物であり、和洋を問わず、かつては値打ちあるものであり、長い年月の続く中、人々は高級家具類に憧れる一方、いかなる国々においても、よりオートメーション化が進む時、貧富階級を問わず、いかなる人々においても手軽な価格で安易に入手し、これが、安易に廃棄できる様になると、消費者は、ベッドに優れたデザイン力、便利、使い易さ、壊れない。の四要素を重視し、これを兼ね備える物にのみ、大金を借しみなく使い始めた際、家具を含めるベッド工専学に重きを置かれる様になった。（特願２００４−１８１９０４参照されたし）
【０００９】  筆者は大学で、学生達に哲学を問うた事があった。それは、イソップ童話物語りの中で語り伝えられる狐は１００余の術を知り、猫は１術しか知らぬ内に急災に遭偶した際、猫は生き長らえて、狐は、そこで死に絶えた。とし、何故であろうか？と質問し、この答えを読者にも求めた。筆者は、現在１２０個の不必要な免許を持ち、取るに足りない学生達の免許数を数え、死ぬまでに１０００個のこれを取る。と豪語し、自慢していたからであった。――しかしながら、この設問の解答は、イソップ自身が、物語りの中で、既に言っていた。「狐は１００術を知りながら、応用力を持たないでいたから死んだ。」国内において、家具インテリア部問においてもこの種別業社（者）は、激減とその数を減らしていた。何故であろうか？
その研究者が、（マネー）ハンターの心をよく理解してはおらず、ハンター達は、貴重な生活資金をかけ、狐、猫の毛皮を得て、これを売り、靴、手袋を作り、その生活源を築いてゆく為に、狐、猫以上の能力をして、物の良し悪しを見極める目を持っている事を知らなかったからではなかろうか？
【００１０】  筆者は、海外を多く回遊し、時間を借しみ、そこに「インテリアー学」なる学問があって見い出した時、貧る様に相当の時間を費やして、これを学び、日本に帰国後、第一に「忍の里」を観光していた。そして、これらに在る物と、海外で見て来た物を見比らべた時、そこにあった家具、インテリアーの繊細さは、いずれも彼国にある物に決っしてひけを取るものではなかった。――ベッド、即ち、家具にある寝台工専学に的を絞って考えてみた。
【００１１】  西洋においてのベッド（寝台）学の物の考え方は、これを用いる者にとって、唯一靴を脱げる憩いの場所となり、その概念では、日本における座敷（畳のある場所）に上がれる安らぎのある所となり、夫婦の営みがあり、物事を深く考える事の出来る場所であって、深い休息のとれる所ともなったが、反面、一切の意識を失う時間帯の出来る所でもある為、外敵や、天災被災のある時、この時すぐに対処出来る様、ベッドから外に出る時、転ぶ事なく、すぐに足が付ける高さが必須条件のある内により、
【００１２】  就寝中、温度変化が無く、蚊に刺されず、不必要な光線に当たる事なく、貴重品が絶対的に自己管理が出来る事が望ましく、時刻、時間が、容易に分かり、水分（酒、タバコ）の保給が、簡易に出来、明朝に備え、日常、小間物類が常識的に管理され易い小物入れ容器が常設され……等々と、遠々に続く際、これらの物は全て消費者の要求されるニーズとなった。しかしながら、多くのベッド工学を専修する技師達は、これに対し、デザインを良くし、便利さ、使い易さ、壊れない。の四要素をする限りなく求められ続けるこの消費者ニーズの欲求を満し続ける、限り無き研究への競争意識のこれを知らぬ内にあったのではなかろうか？――これを満した時、消費者は、多く之れを買った。
【発明の効果】
【００１３】  筆者は、日本人の最初に発明する、左り手側に上部、蝶番留め蓋付きの一見本棚に見えるラックを化症ベニアを、防水加工で施こし、蓋を止じるとキャリアー付車両の上部に乗せ、車の移動が自在となり、これを地に降ろし、上蓋を開け、備え付けの２柱棒で支え、更に蝶番付、備え付け下敷ベニアを開いて、下に降ろし、その上に畳、若しくは、マットレスを一枚敷いて布団をこの中に敷き入れる時、一個の独立したワンルーム、ベッド（Ｔ．４１０号）が完成し、
【００１４】  その様に設計されたワンルーム、ベッド（Ｔ．４１０）を作り、その上部、屋根ベニアから、カヤ、カーテン（若しくは、網、障子戸）を三方向に垂らした場合、プライバシー、安らぎが守られる、ベストプライス空間が生じ、余計な光線に邪馬される事なく、深い眠りに付く事が出来る他、ワンルームベッド室内を他人の視先から遮る事の出来る効果を得。（２００３−４３６３０８号：兜型ヘルメット参照されたし）
【００】又、天災（地震）等の災害時にある時を想定し、この屋根部に８０ｋｇ〜２００ｋｇ重のピアノ大の（第一次衝撃）荷重をかけてみて後、３ｍの高さから落とす落下実験をしてみた所、この衝撃力に充分本ベットは堪えるものとなり、ゆとりあって大きく作られる棚の中には、小間物入れ、金庫を入れて、財産管理が容易となり、酒、タバコ、灰皿、水差し、コップ、置き時計、生け花、掛け軸、刀、本、……等、諸々の趣向品を置いて楽しむ事が出来る所となった。
【発明を実施する最良の形態】
【００１５】  本発明品は丈夫で出来るだけ軽量となるタル木素材の骨組み、若しくは、軽量パイプを骨材として、デザイン力のある耐水性の薄ベニアで、高さ、１５０ｃｍ。幅、９０ｃｍ。長さ、１８５ｃｍの外構を囲ってラックを作り、その中に、高さ、４７ｃｍ。奥行、２７ｃｍ。長さ４０ｃｍ。厚さ、５．５ｍｍ。全部で六個程の小分けした、小型金庫、小間物入れ容器、置き時計、本……等を置き入れる事の出来る棚として作り、人をして、左り手側にこれをこの様に基本的に作られる事が理想であり、
【００１６】  この様にして完成させた大型ラックの屋根部に、厚さ５．５ｍｍのデザインを良くした化粧ベニア、一枚の外側を加工されたタル木で一周させる縁取りするだけの上蓋を蝶番付けで取り付け、開くと屋根部となり、閉めて、施錠すると、それら内に入っている内容物の目隠しに為し、保護する事の出来る物となり、この様に上蓋を開け、更に中にある内蓋（蝶番付けしなくともよい。と考えられる）を地に敷いて湿気除けにするベニア板の上にマットレス、若しくは畳一枚を敷いてその上に布団、枕を置き、二柱棒でこれらを個定する時、本発明品、ワンルーム、ベッド（Ｔ．４１０号）が出来上がった。
屋外でこれを使用する時には、四角型のカヤ付きテント、シートでこれに覆い、雨水除けの為、ブロック等を下に敷き、雪の降る地方では、三角形の屋根を付けると良いと思われた。
【実施例】
【００１５】  本発明品、ワンルーム、ベッド（Ｔ．４１０号）の実施例において、筆者は、これを海外（特に雨の少ない地区）において、個人的には、学術研究に多いに活用したものであり、大病院内の大広間に、本発明品ベッドを無数に置いて、より多くの患者さんのプライバシーを守る個室空間を作り、之に提供し、同様に、発展途上国にある、刑務所施設の為、これを設計し、大規模（ダム）工事現場等における作業員の個人部屋宿舎とし、三層に組む単管足場の中にこれを組み込み入れると、倉庫内にある無駄な空間を最大限利用できる、三階建ての建設現場宿舎とする事が出来るものとなった。そして、【００１６】  これを、縦、横、向い合わせをする、自由な置き方、配列をする事で、ボートに乗せる時、居住空間の有る、ボートに仕立てる事が出来、帰国後、筆者は、
【産業上の利用の可能性】
【００１７】  これを以って、夏期、避暑地、キャンプ場、他、大きな屋根を持つ浜茶屋にて、試験してみた所、やはり大変便利なものとなり、現在まで、日本人が開発、研究し、出尽くしている、カプセルルーム、ベッドを遥かに越えるものとなり、（海外で、ホームレス、期節労働者に、１日３ドルで貸し出し、入口に表礼を出すと、その地区から住所、不定者はいなくなる効果があり、）何においても、本発明されるワンルームベッド（Ｔ４１０号）では、低価格コストで製作され易く、使い道は限りなく無限に広がるものとなり、本発明品の蓋となるベニアの蓋にとり付けられた葉板をドライバーで外すと単に、本棚となり、独身者、学生における独り暮しの人達にも大変重宝される物となり、何よりも、本国民が年々増え続ける、天災、災難等に遭偶した際、これらの発明品が、それぞれ、国民一人一人の財力のうちに在って、保畜され続けた場合、いざ有事の際にも、国の援助（金）力を最低限度に収え、他力、援助も受けず内、自主独立のうちにあって、一人一人の国民が、不備に立ちなおるべく、大いなる力を秘めた作品である為、産業上の利用性も比較的高いものとなった。
【図面の簡単な説明】
【００１８】
【図１】  本発明、ワンルームベッド（Ｔ．４１０号）の立体組立図と折り畳み図と、この中に入れる畳とマットレスの図であるが、本品は折り畳むとガサ張らず、（乗用）車のキャリアーに乗せて、簡易に移動運搬が出来る物であったが、地に降ろして、使用する時は、小分けされた棚ラックを背にして、蝶番付上蓋を起こし、使用し、正面三方向には、上蓋に取り付けられた、カヤ、カーテンをカーテンレールを用いて、使用する時、ワン、ベッドルーム居住空間になる事を示した図。
【００１９】
【図２】  本発明されるワンルームベッド（Ｔ．４１０号）を裏側から見た立体図であり、これを小型トラックの荷台若しくは小型ボート等に搭載した場合、裏側のベニア板に丸穴を開け、これにスライド式のガラス板を嵌め込んで製作する図と、この様に組み立てられたワンルームベッド（Ｔ４１０号）にトラックシート、テントを図示される様に工夫、細工を施こして製作し、これにスッポリと覆い被せた図であり、ワンルームベッド（Ｔ４１０号）を組み立てる前の状態にあった時、この寸法に合わせて、テント、シートを製作し、これにスッポリと被せた場合、アパート、マンションのベランダ、縁側に物置きとして使用する事が出来る事を示した図であった。
【符号の説明】
１．ワンルームベッド（Ｔ４１０号）本体。２．蝶番付上蓋。３．蝶番付上蓋は取り外しが自在であり、邪馬になる時は、ワンルームベッドの裏側に立てて置くと本体は本棚となる。４．蝶番付下敷板。５．マットレス、若しくは畳であり、これを蝶番付下敷板の上に置き入れて、この上に布団を敷くものであるが、マットレス等は三つか四つに分解して、腰かけ椅子に出来る物であると、理想となった。６．蝶番付上蓋と蝶番付下敷板を開いて支柱にする棒であるが、その両端にはオス、ネジ切りを付けて置き、これに合わせる上蓋と下敷板の位置に、この支柱棒を差し込んで固定できるメスのネジ切りを施こされる事を理想とした。７．ネジ切。８．六個に小分けされたラック棚。（大型ラックの場合は、９個でも１２個でもよいと考えられた。）９．テレビ、ビデオ。１０．乗用車で運搬中は風切りとなるが、地に降ろして、ワンルームベッドとして使用する際には、この中にホウキ、雑布、バケツ等、他を入れられる蓋付きの物置きとなります。１１．蝶番。１２．金庫。１３．小物入れ容器。１４．本。１５．置き時計。１６．水差し、コップ。酒、氷入れ、活け花等の趣向品。１７．カヤ。１８．日光除けカーテン。１９．カーテン、レール。２０．畳。２１．マットレス。２２．吊りラック。（特願２００５−    号：――参照されたし）。２３．カーキャリアー。２４．土台、ブロック石。２５．巻き取り式カーテン、ブラインド。（特願２００−      号自動車カーテン、ブラインド参照されたし）２６．トラックに使用するホロカバーの様なテントを使って、本発明品に用いた時、昼暑く、夜る寒い地方（砂漠）に勘える学術（舎）キャンプ、シートとなった。２７．埃が入って来ない様にテントのつなぎ合わせ目に面テープを使用する事が望ましかった。２８．風でテントがバラけない様に多くの綴り紐を付けておくのが望ましかった。２９．シャツ、パンツ、靴下等の下着類。３０．ホウキ、チリ取り、バケツ。３１．表札。３２．ボート搭載用ガラス付丸窓。３３．一枚物上蓋の他、これを二枚板にして、裏側に蝶番を付け、折り曲げて、裏側に板をまわし込むと本棚になる。３４．ネジ切りオスネジ  ３５．ワンルームベッド（Ｔ４１０号）を組み立てる前の物に寸法を合わせたテントシートをスッポリと被せると、アパート、マンションのベランダ、縁側に物置きとして置けます。３６．防水蓋シート。３７．バネゼンマイを利用した巻き取り式による網戸シート。３８．針金、面テープ巻き取り収容器。３７．余地布
【図１】
2007100492.tif 000003
【図２】
2007100492.tif 000004